【事件の表示】
特許第２８２１６５９号「太陽電池等のソーラーモジュールの固定装置」の特許に対する特許異議の申立について、　次のとおり決定する。
【結　論】
　訂正を認める。
　特許第２８２１６５９号の請求項１に係る発明の特許を維持する。
【理　由】
１．手続の経緯
　本件特許第2,821,659号に係る主な手続の経緯は以下のとおりである。
　特許出願　　　　　　平成5年11月30日
　特許権設定登録　　　平成10年9月4日
　特許公報発行　　　　平成10年11月5日
　異議の申立て　　　　平成11年4月30日
　訂正請求　　　　　　平成11年9月20日
２．訂正の適否について
（１）訂正の目的の適否等について
　請求項1における「全長にわたって」を「全長全幅にわたって塞ぐよう」と訂正することは、特許請求の範囲の減縮に該当し、願書に添付した明細書及び図面に記載された範囲内のものであり、実質上特許請求の範囲を拡張又は変更するものではない。
  上記訂正事項aの訂正に伴い、請求項1の従属項となっていた請求項2を独立項とするため、「ソーラーモジュールの端部外側面に、概略倒Z型の係合片の下部垂直片を固着して、上部垂直片と前記外側面との間に上部が開放された係合溝が形成されており、互いに隣接するソーラーモジュールの前記の満に跨って、倒コの字型で且つこれらソーラーモジュール間の隙間の略全長にわたって取付けられるような長尺の固定部材が上方から係合されるとともに、この固定部材へ上方から挿入した押えボルトによって前記ソーラーモジュールを設置した架台へ締付け固定されていることを特徴とする太陽電池等のソーラーモジュールの固定装置。」と訂正することは、明瞭でない記載の釈明に該当し、願書に添付した明細書及び図面に記載された範囲内のものであり、実質上特許請求の範囲を拡張又は変更するものではない。
　上記訂正事項ａ訂正にともない、明細書の段落【0005】における「全長にわたって」を「全長全幅にわたって塞ぐよう」と訂正することは、明瞭でない記載の釈明に該当し、願書に添付した明細書及び図面に記載された範囲内のものであり、実質上特許請求の範囲を拡張又は変更するものではない。
　上記訂正事項ａの訂正にともない、明細書の段落【0012】における「行われる。」の後に、「このとき、図1で示すように、固定部材(32)は、ソーラーモジュール(23)(23)間の隙間をその全幅にわたって塞いでいる。」と加入することは、明瞭でない記載の釈明に該当し、願書に添付した明細書及び図面に記載された範囲内のものであり、実質上特許請求の範囲を拡張又は変更するものではない。
（２）独立特許要件について
　訂正された特許請求の範囲の請求項１に記載されている事項により特定される発明（以下「本件発明」という。）は、以下のとおりのものである。
　「【請求項１】ソーラーモジュールの端部外側面に上部が開放された係合溝が形成されており、互いに隣接するソーラーモジュールの前記の溝に跨って、倒コの字型で且つこれらソーラーモジュール間の隙間の略全長全幅にわたって塞ぐよう取付けられるような長尺の固定部材が上方から係合されるとともに、この固定部材へ上方から挿入した押えボルトによって前記ソーラーモジュールを設置した架台へ締付け固定されていることを特徴とする太陽電池等のソーラーモジュールの固定装置。」
　異議申立人片岡健の提示する甲第1号証(実公平1−23081号公報）には、集熱器1の端部外側面に上部が開放された樋部31を形成し、互いに隣接する集熱器1の樋部31に跨って、かつ、集熱器1間の隙間の略全長にわたって長尺の集熱器押え部材19を上方から係合させ、この集熱器押え部材19に上方から挿入した木ねじ20によって前記集熱器1を設置した集熱器受け部材16およびたる木10へ締付け固定する太陽熱集熱器の取付装置が記載されている。
　同じく甲第2号証(実開平3−115720号公報)には、その第3頁第15行〜第4頁第2行、第3図および第4図において、「接合すべき屋根パネル(3)、(3)のそれぞれ接合端面(5)、(5)を対向して上記母屋(4)に載置させると共に、これらの接合端面(5)、(5)に釘(6)、(6)によって止着されている略J型金具(7)、(7)にわたって下向きコ字状の連結金具(8)を鼓合させ、この連結金具(8)と母屋(4)とを該母屋(4)の下から連結金具(8)にわたって通したボルト(9)にナット(10)を締結して固定してなる。」と記載されている。
　本件発明は、長尺の固定部材がソーラーモジュール間の隙間の略全幅にわたって塞ぐよう取付けられる点に特徴を有するが、上記甲第1号証〜甲第2号証刊行物には、上記本件発明の特徴点を示す記載がなく示唆もない。そして、本件発明は、上記構成を有することにより、上方からの埃やその他の夾雑物の進入を防止することができるという効果を生じるものである。
　したがって、本件発明は、上記甲第1号証〜甲第2号証刊行物に記載された発明に基づいて当業者が容易になし得たこととすることはできないので、特許法第29条第2項の規定により取り消すことはできない。
　特許請求の範囲には、出願人が特許を受けようとする発明の構成が記載されており、また、特許請求の範囲に記載された発明は、発明の詳細な説明に記載されているので、明細書の記載に不備はなく、特許法第３６条の規定により本件特許を取り消すことはできない。
（３） この項のむすび
　以上のとおりであるので、上記訂正請求は、平成６年法律第１１６号附則第６条第１項において、なお従前の例によるとされる改正前の特許法第１２６条第１項ないし３項の規定に適合するので、これを認める。
３．特許異議の申立てについての判断
　特許異議申立人片岡健は、(1)上記甲第1号証〜甲第2号証刊行物を提示し、本件発明は、上記刊行物に記載された発明に基づいて当業者が容易になし得たものであるので、特許法第２９条第２項の規定により、(2)本件特許明細書の特許請求の範囲には、特許を受けようとする発明の必須の構成要件が記載されておらず、また、特許を受けようとする発明が発明の詳細な説明に記載されていないので、特許法第３６条の規定により、特許を受けることができないと主張する。
４．むすび
　以上のとおりであるので、本件特許は、特許異議申立人の提示した証拠及び理由によっては、取り消すことができない。
　よって、結論のとおり決定する。
【異議決定日】
平成１２年１月２８日（２０００．１．２８）
【訂正の要旨】
　訂正の要旨
１．訂正事項ａ
　請求項１を特許請求の範囲の減縮を目的として、「ソーラーモジュールの端部外側面に上部が開放された係合溝が形成されており、互いに隣接するソーラーモンュ−ルの前記の溝に跨って、倒コの字型で且つこれらソーラーモジュール間の隙間の略全長全幅にわた−って塞ぐよう取付けられるような長尺の固定部材が上方から係合されるとともに、この固定部材へ上方から挿入した押えボルトによって前記ソーラーモジュールを設置した架台へ締付け固定されていることを特徴とする太陽電池等のソーラーモジュールの固定装置。」と訂正する。
２．訂正事項ｂ
　訂正事項ａの訂正に伴い、請求項１の従属項となっていた請求項２を、独立項とするため、「ソーラーモジュールの端部外側面に、概略倒Ｚ型の係合片の下部垂直片を固着して、上部垂直片と前記外側面との間に上部が開放された係合溝が形成されており、互いに隣接するソーラーモジュールの前記の満に跨って、倒コの字型で且つこれらソーラーモジュール間の隙間の略全長にわたって取付けられるような長尺の固定部材が上方から係合されるとともに、この固定部材へ上方から挿入した押えボルトによって前記ソーラーモジュールを設置した架台へ締付け固定されていることを特徴とする太陽電池等のソーラーモジュールの固定装置。」と訂正する。
３．訂正事項ｃ
　訂正事項ａの訂正に伴い、特許請求の範囲の記載と発明の詳細な説明の記載との整合を図るため、明細書の段落０００５の第５行目（特許第２８２１６５９号公報第２頁第３欄第３０行〜第３１行）の「全長にわたって」を「全長全幅にわたって塞ぐよう」と補正する。
４．訂正事項ｄ
　同じく、訂正事項ａの訂正に伴い、特許請求の範囲の記載と発明の詳細な説明の記載との整合を図るため、明細書の段落００１２の第７行目（特許第２８２１６５９号公報第３頁第５欄第９行）の「行われる。」の後に、「このとき、図１で示すように、固定部材（３２）は、ソーラーモジュール（２３）（２３）間の隙間をその全幅にわたって塞いでいる。」を加入する。
（５４）【発明の名称】
太陽電池等のソーラーモジュールの固定装置
（５７）【特許請求の範囲】
　【請求項１】　ソ−ラ−モジュ−ルの端部外側面に上部が開放された係合溝が形成されており、互いに隣接するソ−ラ−モジュ−ルの前記の溝に跨って、倒コの字型で且つこれらソーラーモジュール間の隙間の略全長
全幅にわたって塞ぐよう
　【請求項２】　ソ−ラ−モジュ−ルの端部外側面に、概略倒Ｚ型の係合片の下部垂直片を固着して、上部垂直片と前記外側面との間に
上部が開放された係合溝が形成されており、互いに隣接するソ−ラ−モジュ−ルの前記の溝に跨って、倒コの字型で且つこれらソーラーモジュール間の隙間の略全長にわたって取付けられるような長尺の固定部材が上方から係合されるとともに、この固定部材へ上方から挿入した押えボルトによって前記ソ−ラ−モジュ−ルを設置した架台へ締付け固定されている
　【請求項３】　ソ−ラ−モジュ−ルの端部部分を上方から押さえて固定するための固定部材へ上方から挿入した押えボルトの下端が、上面側にリップを有し、且つ、前記ソ−ラ−モジュ−ル端部が載置された中空状の架台のリップ問の溝内に挿入され、この押えボルトの下端に前記架台のリップ間の溝幅より細幅で、且つ、同じくリップ間の溝幅より長さの長い止め具が螺着されて、この止め具が、上記リップの下面に当接した状態で前記ボルトを締付けてあることを特徴とする太陽電池等のソ−ラ−モジュ−ルの固定装置。
【発明の詳細な説明】
　【０００１】
　【産業上の利用分野】
　この発明は、主として太陽光発電を行なう太陽電池等等のソ−ラ−モジュ−ルを屋根上に固定するための固定装置に関するものである。
　【０００２】
　【従来の技術】
　太陽電池等のソ−ラ−モジュ−ルを屋根上に固定する場合、屋根上にまず架台を設置し、この架台上に各モジュ−ルを並べて固定するのが一般である。図６は、このようなモジュ−ルの従来の固定方法を示しており、架台（１）上に設置した互いに隣接する一対のモジュ−ル（２）の端部上面間に跨って押え金具（３）を取付け、この押え金具（３）に差込んだボルト（４）の下端を前記架台（１）のネジ穴若しくはボルト穴に対してネジ込か又は挿入することで、前記架台（１）へ固定するようにしている。
　【０００３】
　【発明が解決しようとする課題】
　しかしながら、上記従来の固定方法では、押え金具（３）の両端がモジュ−ル（２）の上面に露出するため、外観的に見苦しくなるという欠点がある。また、ボルト（４）による締め付けの際には、ボルト（４）の下端を架台（１）のネジ穴若しくはボルト穴に対して位置合わせをして、ネジ込むか又は挿入しなければならず、面倒な作業を必要としていた。
　【０００４】
　この発明は、このような従来の欠点を解消して、取付け作業が容易でありながらなおかつ取付け後の外観を良好にしたソ−ラ−モジュ−ルの固定装置を提供することを目的としている。
　【０００５】
　【課題を解決するための手段】
　上記の課題を解決するため、この発明では、ソ−ラ−モジュ−ルの端部外側面に上部が開放された係合溝が形成されており、互いに隣接するソ−ラ−モジュ−ルの前記の溝に跨って、倒コの字型で且つこれらソーラーモジュール間の隙間の略全長
全幅にわたって塞ぐよう
　【０００６】
　この場合、ソ−ラ−モジュ−ルの端部外側面に、概略倒Ｚ型の係合片の下部垂直片を固着して、上部垂直片と前記外側面との間に係合溝を形成することが考えられる。
　【０００８】
　【作用】
　上記構成では、倒コの字型で且つ長尺の固定部材をモジュ−ル外側面の係合溝に係合して取付けるので、固定部材がモジュ−ルの上面に露出することがなく、しかもソーラーモジュール間の隙間を塞ぐことができ、外観が良好となる。また、固定部材へ挿入した押えボルトの下端に止め具を予め取付けた状態で、その止め具を架台のリップ間の溝へ上方から挿入し、この状態で押えボルトをねじ込み方向に回転させると、その押えボルトが止め具へねじ込まれて、その止め具が架台のリップの下面に当接し、モジュールは固定部材により下方へ押し付けられて固定される。
　【０００９】
　【実施例】
　図２において、（１１）は屋根母屋であって、この母屋（１１）に、支持金具（１２）が固定されている。この支持金具（１２）の横方向に突出するボルト受け部材（１３）へ、支持ボルト（１４）の先端が下方から挿入されるとともに、この支持ボルト（１４）先端が、母屋（１１）上に打ち付けられる野地板（１５）より上方に突出している。野地板（１５）の上面には、アスファルトルーフィング（１６）を敷設した後、その上にカラーベストからなる屋根材（１７）が設置されるが、前記支持ボルト（１４）の先端は、これらのアスファルトルーフィング（１６）及び屋根材（１７）を貫通して上方に突出して、その先端部分に、リップ溝型鋼からなる架台（１８）が、図１のようにナット（１９）を締付けて固定されるようになっている。（２０）は、この架台（１８）の裏面に張り付けたクッション材を示している。
　【００１０】
　架台（１８）は、リップ（２１）すなわち溝の部分が上部側となるようにして設置されており、これらのリップ（２１）（２１）の上面に、それぞれ、別のクッション材（２２）（２２）を貼り付けた後、各太陽電池モジュール（２３）（２３）の端部が設置される。（２４）は、太陽電池モジュール（２３）の外周面を構成するモジュール枠、（２５）は、そのモジュール枠（２４）内に支持されたモジュール本体を示している。
　【００１１】
　上記太陽電池モジュール（２３）の端部を構成するモジュール枠（２４）における前記架台（１８）と同方向の側面部分には、図１でも示すように、概略倒Ｚ型の係合受片（２７）が、その下端の垂直部において、外側からねじ込んだビス（２８）によって固着されて、上端の垂直部（３０）との間に係合溝（２９）を形成している。（３１）は、図４で示すように、概略断面倒コの字型で且つ各ソーラーモジュール（２３）の長さと略同じ長さの固定部材（３２）、押えボルト（３３）、及び、短尺の角棒形の止め具（３４）とからなるモジュール固定金具であり、固定部材（３２）の水平部における長手方向両端部近傍において形成した図３のボルト穴（３５）に、それぞれ押えボルト（３３）（３３）が上方から挿入されるとともに、この押えボルト（３３）の下端に、前記止め具（３４）が螺合して取付けられている。
　【００１２】
　これらの止め具（３４）は、予め固定部材（３２）側に取付けられた状態で、その止め具（３４）を、前記リップ（２１）（２１）間の溝へ上方から挿入し、これと同時に、固定部材（３２）の両端の垂直部分を、前記係合溝（２９）へ上方から係合させる。これにより、ソーラーモジュール（２３）（２３）は、幅方向の位置決めが行われる。
このとき、図１で示すように、固定部材（３２）は、ソーラーモジュール（２３）（２３）間の隙間をその全幅にわたって塞いでいる。
　【００１３】
　次いで、押えボルト（３３）をねじ込み方向に回転させると、止め具（３４）も同方向に回転するが、この止め具（３４）は、図４の対角コーナーを切欠した切欠部（３６）（３６）問の長さが、架台（２０）のフランジ（３７）（３７）内側面間の幅Ｌよりも長くなっており、それゆえ、図５で示すように、その止め具（３４）の切欠部（３６）（３６）が、これら架台（２０）のフランジ（３７）（３７）の内側面に当接して回転を阻止されることになる。この状態でなおも押えボルト（３３）を回転させると、その押えボルト（３３）が止め具（３４）へねじ込まれることとなって、その止め具（３４）が前記リップ（２１）の下面に当接し、前記モジュール（２３）は固定部材（３２）により下方へ押し付けられて固定されることになる。図１で示すように、完全に固定した状態では、固定部材（３２）及びボルト（３３）の頭部が、モジュール（２３）の上面より挟み込んでいる。
　【００１４】
　【発明の効果】
　上記のように、この発明によれば、ソーラーモジュールの外側面に設けた係合溝へ、固定部材の両端を上方から挿入して、押えボルトで締付け固定するものであり、従来のように、ソーラーモジュールの端部上面に係合片等を当接して締付けるものと異なって、この固定部材が外部に露出することがなく、取付けたときの外観が良好となる効果が得られる。また、固定部材を、ソーラーモジュール間の隙間の略全長にわたって取付けられる長尺のものとしているので、１つの固定部材をモジュール間に取り付けるだけでこれらモジュール同士を連結することができ、しかもこの固定部材によってモジュール間の隙間を塞ぐことができる。このため、モジュールの取付作業を簡単に行うことができるとともに、各モジュール間の隙間を塞ぐ部材を別途必要とせずに、上方からの挨やその他の來雑物の侵入を防止することができ、外観も隙間をなくした一体感のあるものとすることができる。
　【００１５】
　更に、ソーラーモジュールを締付けるための下側の止め具は、実施例で示すように、その止め具を上方から挿入してボルトを回転させるのみで締付けることが出来、例えばボルトの先端を架台側のネジ穴等に直接螺合するものと異なって、単純に落とし込んで回転させるだけの操作で締付けることが出来、固定作業が容易である。
【図面の簡単な説明】
　【図１】
　この発明の実施例を示すソーラーモジュールの固定部分の縦断面図である。
　【図２】
　同じくソーラーモジュールの固定状態の要部切欠斜視図である。
　【図３】
　ソーラーモジュールを固定する固定金具を分解して示す固定部分の要部の斜視図である。
　【図４】
　固定金具の要部横断斜視図である。
　【図５】
　ソーラーモジュールを固定した状態における止め具の状態を示す架台の要部横断平面図である。
　【図６】
　従来例を示す太陽電池モジュールの取付け構造の要部斜視図である。
　【符号の説明】
　（１８）　架台
　（２１）　リップ
　（２３）　太陽電池モジュール
　（２４）　モジュール枠
　（２７）　係合受け片
　（２９）　溝
　（３１）　モジュール固定金具
　（３２）　固定部材
　（３３）　押えボルト
　（３４）　止め具